【手続補正書】
【提出日】令和2年6月9日(2020.6.9)
【手続補正１】
【補正対象書類名】特許請求の範囲
【補正対象項目名】全文
【補正方法】変更
【補正の内容】
【特許請求の範囲】
【請求項１】
電力変換装置において使用される制御装置であって、
スイッチ制御装置からドライブ信号を受信して、周波数変調されたジッタ信号を生成するように結合されたジッタ生成器回路と、
エネルギー伝達素子に結合された電力スイッチに結合された前記スイッチ制御装置であって、
前記スイッチ制御装置が、前記電力スイッチを通るドレイン電流を表す電流検出信号を受信するように結合され、
前記スイッチ制御装置が、前記電流検出信号と前記周波数変調されたジッタ信号とに応答して、前記電力スイッチのスイッチングを制御する前記ドライブ信号を生成して、前記電力変換装置の入力から前記電力変換装置の出力へのエネルギーの伝達を制御するように結合され、
前記スイッチ制御装置が、前記周波数変調されたジッタ信号を使用して、可変電流制限値、周波数、オン期間、またはオフ期間のうちの１つを調節する、
前記スイッチ制御装置と、
を備える、制御装置。
【請求項２】
前記ジッタ生成器回路が、前記ドライブ信号に応答して、前記ドライブ信号のパルスが第１の閾値周波数未満の周波数において検出されたか否かを示す保持信号を生成するように結合されたタイマー回路を含む、
請求項１に記載の制御装置。
【請求項３】
前記ジッタ生成器回路が、前記周波数変調されたジッタ信号を生成するように結合されたコンデンサを含み、
前記コンデンサが、前記周波数変調されたジッタ信号が第１の電圧基準未満である場合に、第１の電流源により充電されるように結合され、
前記コンデンサが、前記周波数変調されたジッタ信号が第２の電圧基準より大きい場合に、第２の電流源により放電されるように結合された、
請求項２に記載の制御装置。
【請求項４】
前記保持信号が、前記ドライブ信号のパルスが前記第１の閾値周波数未満の周波数において検出されたときに、前記コンデンサの充電を停止するように結合された、
請求項３に記載の制御装置。
【請求項５】
前記保持信号が、前記ドライブ信号のパルスが前記第１の閾値周波数未満の周波数において検出されたときに、前記コンデンサの放電を停止するように結合された、
請求項３に記載の制御装置。
【請求項６】
前記ドライブ信号のパルスの周波数が前記第１の閾値周波数未満において検出されたとき、スイッチング周波数が下げられるのに伴って前記周波数変調されたジッタ信号の周波数が下げられる、
請求項２に記載の制御装置。
【請求項７】
前記周波数変調されたジッタ信号が、三角波形である、
請求項１に記載の制御装置。
【請求項８】
前記周波数変調されたジッタ信号が、のこぎり波形である、
請求項１に記載の制御装置。
【請求項９】
前記ジッタ生成器回路が、
前記コンデンサの一端部に結合された第１の入力と電圧基準に結合された第２の入力とを含む比較器と、
前記比較器の反転出力に結合された第１の入力と前記タイマー回路の出力に結合された第２の入力とを含む第１の論理ゲートであって、前記第１の論理ゲートが、第２のスイッチを有効化または無効化するように結合された、前記第１の論理ゲートと、
前記比較器の出力に結合された第１の入力と前記タイマー回路の前記出力に結合された第２の入力とを含む第２の論理ゲートであって、前記第２の論理ゲートが、第３のスイッチを有効化または無効化するように結合された、前記第２の論理ゲートと、
を備える、
請求項３に記載の制御装置。
【請求項１０】
前記電圧基準の値が、前記比較器の前記出力に応答して、選択される、
請求項９に記載の制御装置。
【請求項１１】
電力変換装置であって、
前記電力変換装置の入力と前記電力変換装置の出力との間に結合されたエネルギー伝達素子と、
制御装置と、
を備え、
前記制御装置が、
スイッチ制御装置からドライブ信号を受信して、周波数変調されたジッタ信号を生成するように結合されたジッタ生成器回路と、
前記エネルギー伝達素子に結合された電力スイッチに結合された前記スイッチ制御装置と、
を含み、
前記スイッチ制御装置が、前記電力スイッチを通るドレイン電流を表す電流検出信号を受信するように結合され、
前記スイッチ制御装置が、前記電力スイッチのスイッチングを制御する前記ドライブ信号を生成するように結合され、
前記スイッチ制御装置が、前記周波数変調されたジッタ信号を使用して、可変電流制限値、周波数、オン期間、またはオフ期間のうちの１つを調節する、
電力変換装置。
【請求項１２】
前記ジッタ生成器回路は、前記ドライブ信号に応答して、前記ドライブ信号のパルスが第１の閾値周波数未満の周波数において検出されたか否かを示す保持信号を生成するように結合されたタイマー回路を含む、
請求項１１に記載の電力変換装置。
【請求項１３】
前記ジッタ生成器回路が、前記周波数変調されたジッタ信号を生成するように結合されたコンデンサを含み、
前記コンデンサが、前記周波数変調されたジッタ信号が第１の電圧基準未満である場合に、第１の電流源により充電されるように結合され、
前記コンデンサが、前記周波数変調されたジッタ信号が第２の電圧基準より大きい場合に、第２の電流源により放電されるように結合された、
請求項１２に記載の電力変換装置。
【請求項１４】
前記保持信号が、前記ドライブ信号のパルスが前記第１の閾値周波数未満の周波数において検出されたときに、前記コンデンサの充電を停止するように結合された、
請求項１３に記載の電力変換装置。
【請求項１５】
前記保持信号が、前記ドライブ信号のパルスが前記第１の閾値周波数未満の周波数において検出されたときに、前記コンデンサの放電を停止するように結合された、
請求項１３に記載の電力変換装置。
【請求項１６】
前記周波数変調されたジッタ信号が、三角波形である、
請求項１１に記載の電力変換装置。
【請求項１７】
前記周波数変調されたジッタ信号が、のこぎり波形である、
請求項１１に記載の電力変換装置。
【請求項１８】
前記ジッタ生成器回路が、
前記コンデンサの一端部に結合された第１の入力と電圧基準に結合された第２の入力とを含む比較器と、
前記比較器の反転出力に結合された第１の入力と前記タイマー回路の出力に結合された第２の入力とを含む第１の論理ゲートであって、前記第１の論理ゲートが、第２のスイッチを有効化または無効化するように結合された、前記第１の論理ゲートと、
前記比較器の出力に結合された第１の入力と前記タイマー回路の前記出力に結合された第２の入力とを含む第２の論理ゲートであって、前記第２の論理ゲートが、第３のスイッチを有効化または無効化するように結合された、前記第２の論理ゲートと、
を備える、
請求項１３に記載の電力変換装置。
【請求項１９】
前記電圧基準の値が、前記比較器の前記出力に応答して、選択される、
請求項１８に記載の電力変換装置。
【請求項２０】
前記電力変換装置の前記出力に結合されて前記電力変換装置の前記出力を整流する整流器をさらに備える、
請求項１１に記載の電力変換装置。
【請求項２１】
前記整流器が、前記電力変換装置の前記出力を整流するように結合されたスイッチを備える同期整流器回路である、
請求項２０に記載の電力変換装置。
【請求項２２】
フィードバック信号に応答して、前記電力変換装置の前記出力を整流する前記同期整流器回路により受信されるように結合された二次制御信号を生成するように結合された二次制御装置をさらに備える、
請求項２１に記載の電力変換装置。
【請求項２３】
前記ジッタ生成器回路が、前記二次制御装置に実装された、
請求項２２に記載の電力変換装置。
【手続補正２】
【補正対象書類名】明細書
【補正対象項目名】０００９
【補正方法】変更
【補正の内容】
【０００９】
説明のために、図１は、例示的な電力変換装置１００の機能ブロック図を示し、電力変換装置１００は、ＡＣ入力電圧ＶＡＣ１０２、整流器１０４、整流された電圧ＶＲＥＣＴ１０６、入力コンデンサＣＩＮ１０８、クランプ回路１１０、エネルギー伝達素子Ｔ１  １１４、エネルギー伝達素子Ｔ１  １１４の一次巻線１１２、エネルギー伝達素子Ｔ１  １１４の二次巻線１１６、電力スイッチＳ１  １３４、入力戻り１１７、整流器Ｄ１  １１８、出力戻り１１９、出力コンデンサＣ１  １２０、負荷１２６、検出回路１３０、および制御装置１３２を含むように示される。図１は、出力電圧ＶＯ１２４、出力電流ＩＯ１２２、出力量ＵＯ１２８、フィードバック信号ＵＦＢ１３１、電流検出信号１３６、およびドレイン電流ＩＤ１４２をさらに示す。制御装置１３２は、スイッチ制御装置１３８およびジッタ生成器１４０、ならびにノード１４５をさらに含む。さらに、制御装置１３２は、ジッタ信号ＵＪＴＲ１４１、およびドライブ信号１４４をさらに含む。
【手続補正３】
【補正対象書類名】明細書
【補正対象項目名】００１６
【補正方法】変更
【補正の内容】
【００１６】
スイッチ制御装置１３８は、検出回路１３０に結合され、検出回路１３０からフィードバック信号ＵＦＢ１３１を受信する。スイッチ制御装置１３８は、電流検出信号１３６を受信する端子をさらに含み、電力スイッチＳ１  １３４にドライブ信号ＵＤ１４４を提供する。電流検出信号１３６は、電力スイッチＳ１  １３４内のドレイン電流ＩＤ１４２を表し得る。電流検出信号１３６は、電圧信号または電流信号であり得る。加えて、スイッチ制御装置１３８は、電力スイッチＳ１  １３４にドライブ信号ＵＤ１４４を提供して、様々なスイッチングパラメータを制御し、電力変換装置１００の入力から電力変換装置１００の出力へのエネルギーの伝達を制御する。このようなパラメータの例は、スイッチング周波数、スイッチング周期、デューティ比、または電力スイッチＳ１  １３４のオン期間およびオフ期間のそれぞれを含み得る。図示された例に示されるように、ジッタ生成器１４０は、スイッチ制御装置１３８からドライブ信号ＵＤ１４４を受信して、ジッタ信号ＵＪＴＲ１４１を生成するように結合される。
【手続補正４】
【補正対象書類名】明細書
【補正対象項目名】００３５
【補正方法】変更
【補正の内容】
【００３５】
工程６００は、開始ブロック６０２から始まり、判定ブロック６０４に続く。判定ブロック６０４において、ドライブ信号が受信されなければならない。ドライブ信号が受信されない場合、工程６００は、判定ブロック６０８に進む。ドライブ信号が受信された場合、工程６００は、ブロック６０６に進む。ブロック６０６において、タイマー回路が再始動されて有効化される。工程６００は、判定ブロック６０４に戻る。
【手続補正５】
【補正対象書類名】明細書
【補正対象項目名】００３６
【補正方法】変更
【補正の内容】
【００３６】
上述のように、判定ブロック６０４においてドライブ信号が受信されず、工程６００が判定ブロック６０８に続いた場合、判定ブロック６０８において、タイマーの現在のステータスが確認される。タイマーが時間満了していない場合、工程６００がブロック６１０に進み、ジッタ生成器のコンデンサを充電または放電する。次に、タイマーが時間満了となるまで、工程６００は、判定ブロック６０４に戻り、次に、判定ブロック６０８に戻る。判定ブロック６０８において確認されたときに、タイマーが時間満了となると、工程６００は、ブロック６１２に進む。ブロック６１２において、ジッタ生成器のコンデンサを充電／放電する保持信号が有効化される。次に、工程６００は、判定ブロック６０４に戻る。
【手続補正６】
【補正対象書類名】明細書
【補正対象項目名】００４１
【補正方法】変更
【補正の内容】
【００４１】
前述の詳細な説明を考慮して、本発明の例に対してこれらの変更が適用され得る。後述の請求項で使用される用語は、本発明を明細書と請求項とに開示される特定の実施形態に限定するように解釈されてはならない。むしろ、範囲は、後述の請求項により完全に定義されなければならず、確立された請求項の解釈の原則に従って解釈されなければならない。従って、本明細書および図は、限定するものではなく例示的なものとみなされる。
（付記項１）
電力変換装置において使用される制御装置であって、
スイッチ制御装置からドライブ信号を受信して、ジッタ信号を生成するように結合されたジッタ生成器回路と、
エネルギー伝達素子に結合された電力スイッチに結合されたスイッチ制御装置であって、
スイッチ制御装置が、電力スイッチを通るドレイン電流を表す電流検出信号を受信するように結合され、
スイッチ制御装置が、電流検出信号とジッタ信号とに応答して、電力スイッチのスイッチングを制御するドライブ信号を生成して、電力変換装置の入力から電力変換装置の出力へのエネルギーの伝達を制御するように結合された、
スイッチ制御装置と、
を備える、制御装置。
（付記項２）
ジッタ生成器が、ドライブ信号に応答して、ドライブ信号のパルスが第１の閾値周波数未満の周波数において検出されたか否かを示す保持信号を生成するように結合されたタイマー回路を含む、
付記項１に記載の制御装置。
（付記項３）
ジッタ生成器回路が、ジッタ信号を生成するように結合されたコンデンサを含み、
コンデンサが、ジッタ信号が第１の電圧基準未満である場合に、第１の電流源により充電されるように結合され、
コンデンサが、ジッタ信号が第２の電圧基準より大きい場合に、第２の電流源により放電されるように結合された、
付記項２に記載の制御装置。
（付記項４）
保持信号が、ドライブ信号のパルスが第１の閾値周波数未満の周波数において検出されたときに、コンデンサの充電を停止するように結合された、
付記項３に記載の制御装置。
（付記項５）
保持信号が、ドライブ信号のパルスが第１の閾値周波数未満の周波数において検出されたときに、コンデンサの放電を停止するように結合された、
付記項３に記載の制御装置。
（付記項６）
ジッタ信号が、三角波形である、
付記項１に記載の制御装置。
（付記項７）
ジッタ信号が、のこぎり波形である、
付記項１に記載の制御装置。
（付記項８）
ジッタ生成器回路が、
コンデンサの一端部に結合された第１の入力と電圧基準に結合された第２の入力とを含む比較器と、
比較器の反転出力に結合された第１の入力とタイマー回路の出力に結合された第２の入力とを含む第１の論理ゲートであって、
第１の論理ゲートが、第２のスイッチを有効化または無効化するように結合された、
第１の論理ゲートと、
比較器の出力に結合された第１の入力とタイマー回路の出力に結合された第２の入力とを含む第２の論理ゲートであって、
第２の論理ゲートが、有効化されるように、または第３のスイッチを無効化するように結合された、
第２の論理ゲートと、
を備える、
付記項３に記載の制御装置。
（付記項９）
電圧基準の値が、比較器の出力に応答して、選択される、
付記項８に記載の制御装置。
（付記項１０）
電力変換装置であって、
電力変換装置の入力と電源の出力との間に結合されたエネルギー伝達素子と、
制御装置と、
を備え、
制御装置が、
スイッチ制御装置からドライブ信号を受信して、ジッタ信号を生成するように結合されたジッタ生成器回路と、
エネルギー伝達素子に結合された電力スイッチに結合されたスイッチ制御装置と、
を含み、
スイッチ制御装置が、電力スイッチを通るドレイン電流を表す電流検出信号を受信するように結合され、
スイッチ制御装置が、電力スイッチのスイッチングを制御するドライブ信号を生成するように結合された、
電力変換装置。
（付記項１１）
ジッタ生成器は、ドライブ信号に応答して、ドライブ信号のパルスが第１の閾値周波数未満の周波数において検出されたか否かを示す保持信号を生成するように結合されたタイマー回路を含む、
付記項１０に記載の電力変換装置。
（付記項１２）
ジッタ生成器回路が、ジッタ信号を生成するように結合されたコンデンサを含み、
コンデンサが、ジッタ信号が第１の電圧基準未満である場合に、第１の電流源により充電されるように結合され、
コンデンサが、ジッタ信号が第２の電圧基準より大きい場合に、第２の電流源により放電されるように結合された、
付記項１１に記載の電力変換装置。
（付記項１３）
保持信号が、ドライブ信号のパルスが第１の閾値周波数未満の周波数において検出されたときに、コンデンサの充電を停止するように結合された、
付記項１２に記載の電力変換装置。
（付記項１４）
保持信号が、ドライブ信号のパルスが第１の閾値周波数未満の周波数において検出されたときに、コンデンサの放電を停止するように結合された、
付記項１２に記載の電力変換装置。
（付記項１５）
ジッタ信号が、三角波形である、
付記項１０に記載の電力変換装置。
（付記項１６）
ジッタ信号が、のこぎり波形である、
付記項１０に記載の電力変換装置。
（付記項１７）
ジッタ生成器回路が、
コンデンサの一端部に結合された第１の入力と電圧基準に結合された第２の入力とを含む比較器と、
比較器の反転出力に結合された第１の入力とタイマー回路の出力に結合された第２の入力とを含む第１の論理ゲートであって、
第１の論理ゲートが、第２のスイッチを有効化または無効化するように結合された、
第１の論理ゲートと、
比較器の出力に結合された第１の入力とタイマー回路の出力に結合された第２の入力とを含む第２の論理ゲートであって、
第２の論理ゲートが、有効化されるように、または第３のスイッチを無効化するように結合された、
第２の論理ゲートと、
を備える、
付記項１２に記載の電力変換装置。
（付記項１８）
電圧基準の値が、比較器の出力に応答して、選択される、
付記項１７に記載の電力変換装置。
（付記項１９）
電源の出力に結合されて電源の出力を整流する整流器をさらに備える、
付記項１０に記載の電力変換装置。
（付記項２０）
整流器が、ダイオードを備える、
付記項１９に記載の電力変換装置。
（付記項２１）
整流器が、電力変換装置の出力を整流するように結合されたスイッチを備える同期整流器回路である、
付記項１９に記載の電力変換装置。
（付記項２２）
フィードバック信号に応答して、電力変換装置の出力を整流する同期整流器回路により受信されるように結合された二次制御信号を生成するように結合された二次制御装置をさらに備える、
付記項２１に記載の電力変換装置。
【手続補正７】
【補正対象書類名】図面
【補正対象項目名】図１
【補正方法】変更
【補正の内容】
【図１】
2018050451.tif 000001
【手続補正８】
【補正対象書類名】図面
【補正対象項目名】図２
【補正方法】変更
【補正の内容】
【図２】
2018050451.tif 000002
【手続補正９】
【補正対象書類名】図面
【補正対象項目名】図６
【補正方法】変更
【補正の内容】
【図６】
2018050451.tif 000003
【手続補正１０】
【補正対象書類名】図面
【補正対象項目名】図７
【補正方法】変更
【補正の内容】
【図７】
2018050451.tif 000004